(57)【要約】【課題】従来のブックカバーは、本を汚れや外傷から保護することを主な目的とし、読書時における読書効率を高めるなどの機能を有するものではなかった。【解決手段】ブックカバーの表紙カバー部と裏表紙カバー部のそれぞれに指掛け具を設け、左右の第三指と第四指をそれに装着することで本の支持状態を安定したものにし、読書時において本が不意に閉じたり落下することを予防するとともに、読み終えた頁から次の頁に移行する際にも頁の送りに確実性が増し、読書効率を向上するものとした。【選択図】図１
2009113307.tif 000002
【特許請求の範囲】
【請求項１】
見開いた状態の本を両手で支持して読書をする場合において、本の支持状態を安定させるために、表紙カバー部と裏表紙カバー部のそれぞれに左右の第三指と第四指を装着する指掛け具を設けたブックカバー。
【請求項２】
指掛け部が、直線状や円弧状、あるいは耳状や波状の形状をもつ請求項１に記載のブックカバー。
【請求項３】
指掛け部が、直線状や円弧状、あるいは耳状や波状の形状をもち、且つ当該指掛け部両端の延長上でカンを形成して指掛け具を構成する請求項１に記載のブックカバー。
【請求項４】
指掛け部が、直線状や円弧状、あるいは耳状、波状の形状をもち、且つ当該指掛け部の中央部に位置する柄部によって指掛け具を構成する請求項１に記載のブックカバー。
【請求項５】
指掛け具が、プラスチックやビニール、鉄、非鉄金属、貴金属、合金、ビニール、布、紙、皮等からなる請求項１から請求項４に記載のブックカバー。
【発明の詳細な説明】
【技術分野】
【０００１】
本発明は、読書をする際に本の支持力を安定させる指掛け具を設けたブックカバーに関するものである。
【背景技術】
【０００２】
書店等で本を購入する際、購入者の要望により紙製のブックカバーを装着した状態で本を受け取ることができる。これは無償で提供されるものである。一方で、布製やビニール製、高級なものでは皮製等のブックカバーが販売されており、個人専用ののブックカバーとして愛用する読者が見受けられる。
【０００３】
本来、ブックカバーは本を汚れや外傷から保護することを目的とするものであり、本は大切なもの、という読者の認識から利用されるものでもある。ブックカバーに関する従来の技術については、把手やホルダーを設けて携行時に利便性を持たせたものや（例えば、特許文献１参照）、ブックカバーのポケット内側部分に窓孔を設え、本の厚さに関係なく体裁よく本をブックカバー内に位置させるというものなどがある（例えば、特許文献２参照）。
【特許文献１】特開２００３−５４１５８
【特許文献２】登録実用新案第３０９１７４２号
【発明の開示】
【発明が解決しようとする課題】
【０００４】
しかし、これらの技術は本の携行時やブックカバーの装着時に関するものであり、読書時において読書効率を高めるなどの直接的な効果を生み出すものではなかった。
【０００５】
両手で本を支持して読書をする場合の一般的な指の使用方法は、左右の第一指を本の見開き部に、他の４本の指をそれぞれ表紙部と裏表紙部に置き、本を軽く挟持する状態を保ちながら、片方の第一指で読み終えた本の頁を送り、他方の第一指でそれを受け取るという動作を繰り返すものである。この場合、支持力の不安定さから本の頁を送る時や受け取る時に本が不意に閉じたり、本をそのまま落下させるなどして読書を一時的に中断することがある。また、読み終えた本の頁を一度に複数枚送ってしまい、頁を戻すことに時間を割くことで読書効率を妨げられ、不快感をもつこともある。これはブックカバーを施した場合でも同じである。
【０００６】
本を読む場合の読者の体勢は状況によりさまざまである。例えば、通勤時や通学時の電車の中で腰掛けたり、もたれかかった状態であったり、自宅や病院で寝転がった状態などである。特に仰向けに寝転がった体勢での読書は、本の重量が加わることもあって支持力に不安定さが増し、読書効率が大幅に低下するものである。
【０００７】
本発明は、読書時において本の支持状態を安定させることで、読書効率の妨げともなる不意の本の閉じや本の落下を防ぐものである。さらに、読み終えた本の頁を一度に複数枚送ってしまい、元に戻すという不要な作業や不快感をも解消するものである。
【課題を解決するための手段】
【０００８】
そして、本発明はブックカバーの表紙カバー部と裏表紙カバー部のそれぞれに指掛け具を設けることで上記の問題を解決するものである（図１〜９参照）。
【０００９】
この指掛け具の使用方法を次に示す。一般的な読書時における指の使用法に基づいてブックカバーを施した本を支持する。つまり、左右の第一指を本の見開き部に、他の指をそれぞれ表紙カバー部と裏表紙カバー部に置き、本を軽く挟持する状態である。この状態でブックカバーの表紙カバー部と裏表紙カバー部に設けた指掛け具の指掛け部分に左右の第三指と第四指を置き、さらにそれらの指の第一関節部をくの字状に引っ掛ける状態を形成する（図１）。これにより、指掛け具の指掛け部分に引っ掛けた左右の第三指と第四指に自然な形で引っ張り作用が働くとともに、それに連動して本の見開き部に置いた左右の第一指にも相応な力が加わり、不安定であった本の支持状態を安定したものにできる。
【発明の効果】
【００１０】
本発明のブックカバーは、本を汚れや外傷から保護する本来の役割を保つとともに、本の表紙カバー部と裏表紙カバー部に左右の第三指と第四指の第一関節部分を引っ掛けるための指掛け具を設けることによって、読書時における本の自然な支持状態を確保しながらその支持力を増幅し、読書時に起こる不意の本の閉じや落下を防ぎ、読書効率の向上に貢献することができた。
【００１１】
さらに、指掛け具に引っ掛けたくの字状の左右の第三指と第四指が引っ張り効果を生み出すことで、それに連動して本の見開き部に置いた第一指の指先にも相応な力が加わることになり、頁の送り作業にも確実性が増した。従来、一度に複数枚の頁を送ってしまい、頁を戻すのに費やした不要な作業や不快な思いを解消するものとした。これは読書時間を短縮することにもつながり、読書による疲労を軽減することにも貢献するものである。
【００１２】
また、指掛け具を設けたブックカバーは座った体勢での読書はもとより、仰向けや横向きに寝転がった体勢で本を読むときにもその効果を発揮するため、家でくつろいだ状態での読書や病院のベッドに横たわって本を読む場合にも重宝である。
【００１３】
ハート型等の指掛け具は装飾効果があり、ブックカバーにファッション性を持たせることができた。
【実施例１】
【００１４】
以下、本発明を実施形態に基づいて説明する。図１は本発明の実施例を示したものである。ブックカバーの表紙カバー部１と裏表紙カバー部２に設けた指掛け具（図ではDカン）４，４’に左右の第三指６、６’と第四指７、７’の第一関節部を引っ掛けた状態を示している。この場合、左右の第一指は従来どおり本の見開き部に配置し、本を挟持した状態である。左右の第二指及び第五指は本の支持状態のバランスを保つため指掛け具には挿入していないが、第五指は挿入してもよい。
【００１５】
ブックカバーは図３に示すように、その左右の内側にポケット部９，９’を備え、本の表表紙と裏表紙を差し込むことによって本を保持する。ただし、ポケット部を片方だけに設けたものやポケット部を設けない種類のブックカバーもある。
【００１６】
指掛け具４、４’は接合部材５、５'に設けた筒状の孔に通した状態でブックカバーの表裏に取り付ける。この場合の取り付け方法は、縫合のほか接着剤での接合、鋲などの止め具を用いてもよい。また、ブックカバーと接合部材５の接合部にホックやスナップ、面ファスナー等を用いて着脱自在にすることも可能である。接合部材を用いないで、指掛け具を縫合やその他の方法で直接ブックカバーに取り付けることも可能である。接合部材５，５’の素材については布、ビニール、皮、金属など多岐にわたるが、その形状についても短冊状、鎖状など指掛け具とブックカバーを接合できるものであれば、それを限定しない。
【００１７】
指掛け具４、４’は、ブックカバーの表紙カバー部１、裏表紙カバー部２にそれぞれに配置する。その位置は、本のサイズや指掛け具の大きさによっても異なるが、本を支持した状態が読者にとって違和感の無い自然な状態を保てることを原則とする。また、左右の第三指６，６’の指掛け部分の位置を左右の第四指７，７’の指掛け部分の位置と比べて本の耳部寄りに配置することにより、指掛け具に置いた第三指と第四指に無理の無い引っ張り力が生じ、安定した支持状態を確保できる。
【００１８】
指掛け具４、４’は、その指掛け部１０、１０’が円弧状や波形状とするものを理想とするが、棒状、鉤状、耳状などその他の形状でも構わない。また、図に示したＤカンのほか楕円を含む円カンや角カンなどカンを形成して指掛け具４，４’を構成するものであっても、指掛け部の中央部に位置する柄部１１によって指掛け具を構成するもの（図９）でもよい。さらに、図６に示すように第三指、第四指の指掛け部分に仕切りを設けたり、第三指、第四指専用の指掛け具を独立させてそれぞれの表紙カバー部１、裏表紙カバー部２に２個づつ配置することも可能である（図７）。指掛け部１０，１０’の断面形状についても楕円や半円を含む円形、三角形をはじめとする多角形など、その形状を制限するものではない。
【００１９】
取り付け具４、４’の素材は、質感や価格面を考慮するとプラスチック製のものや鉄などの金属製のものが最も適するが、このほかにも非鉄金属、貴金属、合金、ビニール、布、紙、皮、など指掛け部の形成が可能であれば、それを限定するものではない。また、ワイヤーにビニールを被覆したものなど素材を組み合わせたものでも構わない。
【００２０】
指掛け具４，４’の大きさや太さについても、第三指６，６’と第四指７，７’を引っ掛けた状態でそれぞれの第一関節がくの字状に曲がり、本の支持状態を確保できる範囲のものであれば特に限定するものではない。また、指掛け具４、４’は、同形のものを表紙カバー部と裏表紙カバー部それぞれに配置しても、形状の異なるものをそれぞれに配置してもよい。
【実施例２】
【００２１】
本発明の指掛け具を設けたブックカバーは文庫版、新書版、Ｂ５版、Ａ４版の通常の本のサイズはもとより、辞書やカタログ等にもその効果を証明できた。
【００２２】
表紙カバー部１、裏表紙カバー部２と接合部材５，５’にフックやスナップを設け着脱可能とした指掛け具を設けたブックカバーは、読書時だけに装着し、携行時には取り外しておけるためバッグなどに収納する場合も嵩張らない。
【００２３】
表紙カバー部１と裏表紙カバー部２に面ファスナーのオス部を長めに設置し、接合部材に設けた面ファスナーのメス部をオス部の適所に接合することで、指賭け具４，４’の位置調整が可能となり、読み手が子供であっても快適に使用できた。
【００２４】
この指掛け具は、バインダーやノートに直接設けることでブックカバーの範疇を超えて活用できる。
【図面の簡単な説明】
【００２５】
【図１】本発明の実施形態を示す正面図
【図２】本発明の正面図
【図３】本発明の背面図
【図４】本発明の底面図
【図５】指掛け具の形状を示す表紙カバー部正面図
【図６】指掛け具の形状を示す表紙カバー部正面図
【図７】指掛け具の形状を示す表紙カバー部正面図
【図８】指掛け具の形状を示す表紙カバー部正面図
【図９】指掛け具の形状を示す表紙カバー部正面図
【符号の説明】
【００２６】
１  表紙カバー部
２  裏表紙カバー部
３  背表紙カバー部
４、４’  指掛け具
５、５’  接合部材
６、６’  第三指
７、７’  第四指
８  本の天部
９  ポケット部
１０、１０’ 指掛け部  
１１柄部
【図１】
2009113307.tif 000003
【図２】
2009113307.tif 000004
【図３】
2009113307.tif 000005
【図４】
2009113307.tif 000006
【図５】
2009113307.tif 000007
【図６】
2009113307.tif 000008
【図７】
2009113307.tif 000009
【図８】
2009113307.tif 000010
【図９】
2009113307.tif 000011